(57)【特許請求の範囲】
【請求項１】
微生物の発育抑制物質を含有する固形物と、排水口の入口部又は上部に設置可能な形状をした、該固形物を収納するリング状容器とからなり、該リング状容器が、排水の流入量を制御しうる開口度を有するリング状容器の上面もしくは側面上部に設けられた排水流入孔と、固形物の溶解液の流出量を制御しうる開口度を有するリング状容器の底部もしくは側面下部又はこれに加えて側面に設けられた溶解液流出孔とを有し、該溶解液流出孔が、リング状容器内に保持できる最大量の水が０．５〜５００秒で流出する制御された開口度を有することを特徴とする固形物の溶解液をヌメリ発生壁面部に広がらせることができる排水口用ヌメリ取り器。
【請求項２】
リング状容器が、排水口に設けられる蓋であることを特徴とする請求項１記載の排水口用ヌメリ取り器。
【請求項３】
溶解液流出孔の開口総面積が、排水流入孔の開口総面積の０．９８〜０．０１であることを特徴とする請求項１又は２記載の排水口用ヌメリ取り器。
【請求項４】
固形物を収納するリング状容器が、固形物の溶解液をヌメリ発生壁面部に広がらせることができるように、溶解液流出孔又はその近傍に、分配管、分配樋又は細棒状分配ピンのいずれか１つを有することを特徴とする請求項１〜３のいずれか記載の排水口用ヌメリ取り器。
【請求項５】
微生物の発育抑制物質として、非塩素系薬剤を使用することを特徴とする請求項１〜４のいずれか記載の排水口用ヌメリ取り器。
【請求項６】
非塩素系薬剤として、５−クロロ−２−メチル−４−イソチアゾリン−３−オンと多分子系ホスト化合物とからなる包接化合物を用いることを特徴とする請求項５記載の排水口用ヌメリ取り器。
【請求項７】
非塩素系薬剤として、有機ヨード系抗菌剤を用いることを特徴とする請求項５記載の排水口用ヌメリ取り器。
【請求項８】
固形物として、同種あるいは異種の複数の小粒の固形物を用いることを特徴とする請求項１〜７のいずれか記載の排水口用ヌメリ取り器。
【請求項９】
排水口の入口部又は上部に設置可能な形状をし、かつその内部に微生物の発育抑制物質を含有する固形物を収納することができるリング状容器であって、底部もしくは側面下部又はこれに加えて側面に固形物の溶解液流出孔を、上面もしくは側面上部に排水流入孔とをそれぞれ有し、かつ溶解液流出孔の開口総面積が排水流入孔の開口総面積の０．９８〜０．０１であることを特徴とする固形物の溶解液をヌメリ発生壁面部に広がらせることができるヌメリ取り用容器。
【発明の詳細な説明】
【０００１】
【発明の属する技術分野】
本発明は、台所流し台の排水口や風呂場の排水口やトイレの床の排水口等のように、雑菌やカビ等の代謝物によりヌメリや悪臭が発生する箇所に設け、ヌメリを除去したり、ヌメリの発生を予防したり、あるいはヌメリを防除したりするのに有用なヌメリ取り器やそのための容器、それらを用いるヌメリ取り方法等に関するもので、特に、家庭用台所流し台の排水口部を大型化し、ゴミ取りカゴを設置し、排水とともに流出した料理材料クズ等の生ゴミをゴミ取りカゴで補集し、一定量がたまった際に廃棄するタイプの流し台のゴミ取りカゴ用のヌメリ取り器に関する。
【０００２】
【従来の技術】
台所流し台や風呂場の排水口のヌメリの主成分は、食材、界面活性剤、石鹸、人の垢等が細菌の栄養源となり、そのとき細菌から分泌されるポリサッカライドであることが知られている。
【０００３】
従来、家庭用流し台の排水口部のゴミ取りカゴのヌメリ防止用薬剤として、トリクロルイソシアヌール酸、ジクロルイソシアヌール酸塩、ブロムクロルジメチルヒダントイン等の塩素系酸化剤を単独又は他の成分と配合したものを加圧成形した錠剤を、プラスチック製のネット又はカゴ状容器に収納し、ヒモ等によりゴミ取りカゴ内に吊し、ゴミ取りカゴのヌメリを防止する薬剤はよく知られており（特開平８−１２８０９０号公報）、これらは数年前より「ヌメリ取り剤」等の名称で販売され実用に供されている。
【０００４】
上記薬剤は塩素系酸化剤の強力な殺菌力により、ゴミ取りカゴのヌメリと悪臭の防止に効果を発揮し、広く使用されているが、その強力な酸化力によりゴミ取りカゴ及び周辺の排水口材質を劣化・腐食させる他、塩素ガスや塩素ガスと食物クズ中の窒素分との反応により生成する三塩化窒素等の刺激臭のガスを発生する等の安全性に問題を有している。
【０００５】
上記問題点を解決するため塩素系酸化剤以外の殺菌剤を用いた「ヌメリ取り剤」が、種々提案されている。例えば、過炭酸ソーダ、過硫酸カリウム、過ホウ酸ソーダ等の過酸化物（特開平８−２６８８１８号公報、特開平９−３１４９５号公報）、ポビドンヨード等のヨウ素系殺菌剤（特開平９−１２４４２３号公報、特開平９−２２７３１７号公報）、亜硫酸塩等の硫黄化合物と抗菌剤からなる除菌用薬剤（特開平９−１２４４２２号公報）、オルトフェニルフェノール、ジフェニル、２−イソプロピル−５−メチルフェノール、ヒノキチオール等の揮発性除菌剤（特開平９−２０６０４０号公報）、銀イオン、銅イオン等をゼオライト、シリカゲル等の無機化合物に担持させた無機系殺菌剤（特開平８−１５７３０５号公報、特開平９−３０９１５号公報、特開平９−１９４３１３号公報）、パラクロロメタキシレノール等の工業用殺菌剤等を単独又は適当な溶解調整剤を添加して加圧成形した錠剤が知られている。
【０００６】
これら塩素系酸化剤以外の殺菌剤を用いた「ヌメリ取り剤」は、塩素系酸化剤からなる「ヌメリ取り剤」と同様に、プラスチック製のネット又はカゴ状容器に収納し、ヒモ等でゴミ取りカゴ内につり下げて設置され、塩素系酸化剤を使用しない「ヌメリ取り剤」として一部市販されているが、従来の塩素系酸化剤を有効成分とする「ヌメリ取り剤」に比べると殺菌力が弱く、ヌメリや悪臭の防止効果が不充分であり、普及が進んでいない。
【０００７】
また、特開平７−１８４８２３号公報には、５−クロロ−２−メチル−４−イソチアゾリン−３−オンと２−メチル−４−イソチアゾリン−３−オンの混合物等の抗菌剤を中空多孔質シリカ等の無機多孔質微粒子に担持させたものを不織布等の透水性の袋に収納したり、蛋白質や多糖類等の水溶性物質に担持させフィルム状とした「ヌメリ取り剤」が記載されている。しかし、５−クロロ−２−メチル−４−イソチアゾリン−３−オンは、強い抗菌力を有し、かつ材質腐食やガスの発生はともなわないが、水に易溶であり有効期間が従来の薬剤より短期間となる欠点の他、皮膚刺激性が激しいため、家庭において使用するには安全上問題があった。
【０００８】
上記の他、ヌメリ取り剤を収納した容器をつなぎ部を介して生ゴミカゴの取っ手に取り付ける取付部を有するもの（特開平９−２９２号公報）や、フッ素樹脂で表面が被覆された生ゴミ用網カゴを使用するもの（特開平８−１５８４４１号公報）や、網カゴの周囲に設けられた環状パイプから電解酸性イオン水を噴射するもの（実開平６−４６０６９号公報）や、排水口の上部に防菌防黴作用を有する溶液を供給する防菌防黴装置（特開平９−１５４９２３号公報）等が知られている。
【０００９】
【発明が解決しようとする課題】
本発明の課題は、簡単に排水口の上部に設置することができ、安全性や取り扱い性に優れ、適度な溶解性を保持したヌメリ防除剤を収納したリング状容器から、ヌメリ防除剤の溶解液を排水管壁面等に広がらせることができる排水口用ヌメリ取り器を提供することにある。
【００１０】
【課題を解決するための手段】
本発明者らは、５−クロロ−２−メチル−４−イソチアゾリン−３−オンと多分子系ホスト化合物とからなる包接化合物を加圧成形してなる非さらし粉系ヌメリ防除剤を提案している（特願平９−５０３８４号）。この防除剤は、５−クロロ−２−メチル−４−イソチアゾリン−３−オンをホスト化合物により多分子包接体としているため皮膚刺激性が低下し、かつ水に対する溶解性も低下しており、ヌメリ防除剤として優れたものである。また、本発明者らは、有機ヨード系抗菌剤と固体酸とを加圧成形してなるヌメリ防除剤についても提案しており（特願平９−５０３８５号）、このヌメリ防除剤も優れたヌメリ防除効果が確認されている。
【００１１】
ところで、塩素系酸化剤を有効成分とする薬剤であれば、ゴミ取りカゴの底部に設置しても、発生する塩素ガスにより薬剤溶解液が接触しない部分も含め殺菌できるため、カゴ内全体のヌメリ防止が可能であるのに対し、非塩素系酸化剤を有効成分とする薬剤、特に上記の５−クロロ−２−メチル−４−イソチアゾリン−３−オンをホスト化合物により多分子包接体としたヌメリ防除剤や有機ヨード系抗菌剤を加圧成形してなるヌメリ防除剤の優れたヌメリ防除効果は、薬剤の設置された周辺部に限られ、特に薬剤の設置された位置より上部の部分に対する効果が弱いということを見出した。そこで、これらヌメリ防除剤を排水管の入口部又は上部に設置することができ、該ヌメリ防除剤の溶解液を排水管壁面等に広がらせることができる排水口用ヌメリ取り容器を種々試作し、ヌメリ防除効果について検討し、ヌメリ防除効果について確認し、本発明を完成するに至った。
【００１２】
すなわち、本発明は、微生物の発育抑制物質を含有する固形物、特に５−クロロ−２−メチル−４−イソチアゾリン−３−オンと多分子系ホスト化合物とからなる包接化合物、有機ヨード系抗菌剤等の非塩素系薬剤を含有する固形物、例えば同種あるいは異種の複数の小粒の固形物と、排水口の入口部又は上部に設置可能な形状、例えば蓋形状をした、該固形物を収納するリング状容器とからなり、該容器が、排水の流入量を制御しうる開口度を有する容器の上面もしくは側面上部に設けられた排水流入孔と固形物の溶解液の流出量を制御しうる開口度を有する固形物の溶解液をヌメリ発生壁面部に広がらせることができる排水口用ヌメリ取り器、好ましくは、リング状容器内に保持できる最大量の水が０．５〜５００秒で流出する制御された開口度を有する容器の底部もしくは側面下部又はこれに加えて側面に設けられた溶解液流出孔を有する上記排水口用ヌメリ取り器や、溶解液流出孔の開口総面積が排水流入孔の開口総面積の０．９８〜０．０１である上記排水口用ヌメリ取り器や、溶解液流出孔又はその近傍に分配管、分配樋又は細棒状分配ピン等を有する上記排水口用ヌメリ取り器に関する。
【００１３】
さらに、本発明は、排水口の入口部又は上部に設置可能な形状をし、かつその内部に微生物の発育抑制物質を含有する固形物を収納することができるリング状容器であって、底部もしくは側面下部又はこれに加えて側面に固形物の溶解液流出孔を、上面もしくは側面上部に排水流入孔をそれぞれ有し、かつ溶解液流出孔の開口総面積が排水流入孔の開口総面積の０．９８〜０．０１である、固形物の溶解液をヌメリ発生壁面部に広がらせることができるヌメリ取り用容器に関する。
【００１４】
【本発明の実施の形態】
本発明において、微生物の発育を抑制する物質としては、各種公知の殺菌剤、抗菌剤が使用可能であり、一般的な防黴剤又は抗細菌剤として知られている化合物や抗菌作用を有する天然精油類等であればどのようなものでも使用することができるが、広い抗菌スペクトルを有するものが好ましく、例えば、塩素系薬剤としては、ジクロロジメチルヒダントイン、ブロモクロルジメチルヒダントイン、ジクロルイソシアヌル酸ナトリウム、ジクロルイソシアヌル酸カリウム、ジクロルイソシアヌル酸ナトリウムの水和物（２水和物等）、ジクロルイソシアヌル酸カリウムの水和物及びトリクロルイソシアヌル酸、次亜塩素酸ナトリウム等が例示することができ、また、非塩素系薬剤としては、過炭素ナトリウム、過硫酸カリウム、過ほう酸ナトリウム、オルトフェニルフェノール、ジフェニル、２−イソプロピル−５−メチルフェノール、パラクロロメタキシレノール、パラヒドロキシ安息香酸ｎ−ブチル、パラヒドロキシ安息香酸エチル、パラヒドロキシ安息香酸メチル、塩化ベンザルコニウム、塩化ベンゼトニウム、塩酸クロルへキシジン、グルコン酸クロルヘキシジン、メチレンビスチオシアネート、２−ピリジンチオール−１−オキシド、２−ピリジンチオール−１−オキシド亜鉛、２−ピリジンチオール−１−オキシドナトリウム、Ｎ，Ｎ’−ヘキサメチレンビス（４−カルバモイル−１−デシルピリジニウムブロマイド）、４，４’−（テトラメチレンジアミノ）ビス（１−デシルピリジニウムブロマイド）、２−ブロモ−２−ニトロプロパン−１，３−ジオール等を例示することができる。
【００１５】
本発明における微生物の発育を抑制する物質として、防黴剤又は抗細菌剤と多分子系ホスト化合物とからなる包接化合物を有利に用いることができる。この包接化合物を用いる場合、防黴剤又は抗細菌剤としては、例えば、５−クロロ−２−メチル−４−イソチアゾリン−３−オン、２−メチル−４−イソチアゾリン−３−オン、４，５−ジクロロ−３−ｎ−オクチル−イソチアゾリン−３−オン、１，２−ベンズイソチアゾリン−３−オン、２−メトキシカルボニルベンズイミダゾール、２，３，５，６−テトラクロロ−４−メタンスルホニルピリジン、２−チオシアノメチベンゾチアゾール、２，２−ジチオ−ビス−（ピリジン−１−オキサイド）、３，３，４，４−テトラハイドロチオフェン−１，１−ジオキサイド、４，５−ジクロロ−１，２−ジチオラン−３−オン、５−クロロ−４−フェニル−１，２−ジチオラン−３−オン、Ｎ−メチルピロリドン、フェニル−（２−シアノ−２−クロロビニル）スルホン、メチレンビスチオシアネート、２−ブロモ−２−ニトロプロパン−１，３−ジオール、２，２−ジブロモ−２−エタノール、２−ブロモ−４’−ヒドロキシアセトフェノン、ジブロモニトリルプロピオンアミド、２−ブロモ−２−ブロモメチルグルタルニトリル等を、また天然製油類としては、例えば、シネオール、ヒノキチオール、メントール、テルピネオール、ボルネオール、ノポール、シトラール、シトロネラール、シトロネロール、ゲラニオール、リナロール、ジメチルオクタノール、チモール等を例示することができる。
【００１６】
ここで、多分子系ホスト化合物とは、ゲストとなる抗菌剤を、ゲスト１分子に対して複数のホスト化合物が取り囲んだ形で、結晶性錯体（包接化合物）を形成する化合物をいい、上記の性質を有する化合物であれば特に制限されないが、例えば、テトラキスフェノ−ル類、１，１，６，６−テトラフェニル−２，４−ヘキサジイン−１，６−ジオール、１，６−ビス（２−クロロフェニル）１，６−ジフェニルヘキサン−２，４−ジイン−１，６−ジオール、１，１，４，４−テトラフェニル−２−ブチン−１，４−ジオール、２，５−ビス（２，４，ジメチルフェニル）ハイドロキノン、１，１−ビス（２，４，ジメチルフェニル）−２−プロピン−１−オール、１，１，２，２−テトラフェニルエタン−１，２−ジオール、１，１，−ビ−２−ナフトール、９，１０−ジフェニル−９，１０−ジヒドロキシアントラセン、１，１，６，６−テトラ（２，４−ジメチルフェニル）−２，４−ヘキサジイン−１，６−ジオール、９，１０−ビス（４−メチルフェニル）−９，１０−ジヒドロキシアントラセン、１，１−ビス（４−ヒドロキシフェニル）シクロヘキサン、Ｎ，Ｎ，Ｎ’，Ｎ’−テトラキス（シクロヘキシル）−（１，１’−ビフェニル）−２−２’−ジカルボキシアミド、４，４’−スルホニルビスフェノール、４，４’−ブチリデンビス（３−メチル−６−ｔｅｒｔ−ブチルフェノール）、２，２’−メチレンビス（４−メチル−６−ｔｅｒｔ−ブチルフェノール）、４，４’−チオビス（４−クロロフェノール）、２，２’−メチレンビス（４−クロロフェノール）、デオキシコール酸、コール酸、α，α，α’，α’−テトラフェニル−１，１’−ビフェニル−２，２’−ジメタノール、ｔ−ブチルヒドロキノン、２，５−ジ−ｔｅｒｔ−ブチルヒドロキノン、顆粒状コーンスターチ、１，４−ジアザビシクロ−（２，２，２）−オクタンを例示することができる。
【００１７】
また、上記のテトラキスフェノ−ル類としては、例えば、１，１，２，２−テトラキス（４−ヒドロキシフェニル）エタン、１，１，２，２−テトラキス（３−フルオロ−４−ヒドロキシフェニル）エタン、１，１，２，２−テトラキス（３−クロロ−４−ヒドロキシフェニル）エタン、１，１，２，２−テトラキス（３−メチル−４−ヒドロキシフェニル）エタン、１，１，２，２−テトラキス（３−メトキシ−４−ヒドロキシフェニル）エタン、１，１，２，２−テトラキス（３，５−ジメチル−４−ヒドロキシフェニル）エタン、１，１，３，３−テトラキス（４−ヒドロキシフェニル）プロパン、１，１，３，３−テトラキス（３−フルオロ−４−ヒドロキシフェニル）プロパン、１，１，３，３−テトラキス（３−クロロ−４−ヒドロキシフェニル）プロパン、１，１，３，３−テトラキス（３−メチル−４−ヒドロキシフェニル）プロパン、１，１，３，３−テトラキス（３−メトキシ−４−ヒドロキシフェニル）プロパン、１，１，３，３−テトラキス（３，５−ジメチル−４−ヒドロキシフェニル）プロパン、１，１，４，４−テトラキス（４−ヒドロキシフェニル）ブタン、１，１，４，４−テトラキス（３−フルオロ−４−ヒドロキシフェニル）ブタン、１，１，４，４−テトラキス（３−クロロ−４−ヒドロキシフェニル）ブタン、１，１，４，４−テトラキス（３−メチル−４−ヒドロキシフェニル）ブタン、１，１，４，４−テトラキス（３−メトキシ−４−ヒドロキシフェニル）ブタン、１，１，４，４−テトラキス（３，５−ジメチル−４−ヒドロキシフェニル）ブタン、１，１，５，５−テトラキス（４−ヒドロキシフェニル）ペンタン、１，１，５，５−テトラキス（３−フルオロ−４−ヒドロキシフェニル）ペンタン、１，１，５，５−テトラキス（３−クロロ−４−ヒドロキシフェニル）ペンタン、１，１，５，５−テトラキス（３−メチル−４−ヒドロキシフェニル）ペンタン、１，１，５，５−テトラキス（３−メトキシ−４−ヒドロキシフェニル）ペンタン、１，１，５，５−テトラキス（３，５−ジメチル−４−ヒドロキシフェニル）ペンタン等テトラキス（ヒドロキシフェニル）アルカン類を具体的に例示することができる。
【００１８】
本発明における微生物の発育を抑制する物質として、他の抗菌剤に比較して抗菌スペクトルが広く、また市販のうがい薬に使用されている等人体に安全な有機ヨード系抗菌剤も有利に用いることができる。この場合、有機ヨード系抗菌剤であれば特に制限はないが固体のものが望ましく、例えば、２，３，３−トリヨードアリルアルコール類、２，３，３−トリヨードアリルエーテル類、２，３，３−トリヨードアリルアゾール類、３−ヨード−２−プロパギルブチルカルバミン酸、４−クロロフェニル（３−ヨードプロパギル）ホルマール、ヨードプロパギルアゾール類、ジヨード−パラ−トリスルホン、ポピドンヨード、ベンジルヨード酢酸エステル及びパラニトロベンジルヨード酢酸エステルを例示することができ、これらは単独又は２種以上混合して使用される。
【００１９】
また、微生物の発育を抑制する物質として、前記の各種公知の殺菌剤、抗菌剤、防黴剤等やそれらを含有する公知のヌメリ防除剤、あるいは上記包接化合物や有機ヨード系抗菌剤を用いる場合、有効成分が排水と接触した際必要以上に流出することを防止し、適度な速度で接触した排水に溶解させるため、適宜配合物と混合して加圧成形、加熱溶融混合、混練り押し出し成形等の公知の方法により適当な大きさに成形することができる。
【００２０】
加圧成形する場合の配合物としては、各種公知の賦形剤、溶解調整剤、結合剤、滑沢剤、界面活性剤、腐食防止剤等を例示することができる。
賦形剤、結合剤、溶解調整剤としては、フマル酸、安息香酸、アジピン酸、コハク酸、スルファミン酸、ほう酸、ｄｌ−リンゴ酸、クエン酸、アスコルビン酸、マロン酸、グリコール酸等の各種有機酸、無機酸、乳酸、ブドウ糖、コーンスターチ等の各種デンプン、結晶セルロース、粉末セルロース、塩化ナトリウム、硫酸マグネシウム、硫酸カリウム、硫酸カルシウム、燐酸水素カルシウム、合成珪酸アルミニウム、三珪酸マグネシウム、メチルセルロース、エチルセルロース、カルボキシメチルセルロース、カルボキシメチルセルロースナトリウム、カルボキシメチルセルロースカルシウム、ヒドロキシプロピルセルロース、ポリビニルアルコール、ポリビニルピロリドン、アルギン酸ナトリウム、アラビアゴム（粉末）、ショ糖脂肪酸エステル、Ｃ14〜Ｃ24の飽和脂肪酸類等を挙げることができるが、その中でも特に硫酸カルシウム、乳糖、ブドウ糖、コーンスターチ、でんぷん、結晶セルロース、粉末セルロース、ヒドロキシプロピルセルロース、アラビアゴム（粉末）、ポリビニルアルコール、ポリビニルピロリドン、デキストリン等は加圧成形性を向上することができ、また、各種洗剤等が混入しても反応して有毒ガス等が発生することが無いので好ましく、これら賦形剤や結合剤、溶解調整剤は全固形物重量に対して１〜９９重量％の割合で添加することができる。
【００２１】
滑沢剤としては、ステアリン酸マグネシウム、ステアリン酸カルシウム、ステアリン酸ナトリウム、安息香酸ナトリウム、オルトほう酸、シリカ、タルク、ワックス類等を例示することができ、これら滑沢剤は全固形物重量に対して０．０１〜１重量％の割合で使用することができる。
界面活性剤としては、アルキルアルカノールアミド類、ジアルキルスルホコハク酸ナトリウム、ラウリル硫酸ナトリウム等を例示することができ、これら界面活性剤は全固形物重量に対して０．５〜１０重量％の割合で使用することができる。
腐食防止剤としては、アルキルチオ尿素系やトリアゾール系化合物を例示することができ、これらを使用すると配管などの金属部分の腐食を抑制することができる。
【００２２】
加熱溶融混合の場合や混練り押し出し成形する場合の配合物としては、融点が４０〜１００℃で固体であるものが好ましく、ポリオキシエチレン等の各種の水溶性高分子類、ポリオキシエチレンポリオキシプロピレンブロックポリマー、ポリオキシエチレンアルキルフェニルエーテル、ポリエチレングリコール脂肪酸エステル類、グリセリン脂肪酸エステル類、ポリオキシエチレンアルキルエーテル類等の界面活性剤を例示することができる。
【００２３】
また、固形物の形状としては、球状、錠剤状、円柱状、直方体状、角錐状、ドーナツ状等どのような形態でもよく、その大きさもリング状容器に収容しうる大きさであればどのようなものでもよい。固形物の使用の形態としては、容器の固形物収納部の形状に合わせて、例えば円柱状のものやドーナツ状のものを１個用いる場合もあるが、小粒のものを多数使用することもできる。小粒のものを多数使用する場合、同種のものを用いるほか、例えば配合成分の異なる薬剤や溶解度が異なる薬剤等異種の複数の小粒の固形物を用いることもできる。なお、本発明における固形物には、有効成分が排水と接触した際必要以上に流出することを防止することができ、適度な速度で接触した排水に溶解させることができる形態のもの、例えばヌメリ防除剤等が不織布、紙、フィルム等の透水性の袋やチューブ等に収容されているものや、ヌメリ防除剤等がスポンジ、樹脂発泡体等に担持されているものや、液体のヌメリ防除剤等が多孔質鉱物などに含浸されているものも便宜上含まれる。
【００２４】
次に、本発明において、微生物の発育抑制物質を含有する固形物を収納するリング状容器としては、排水口の入口部又は上部に設置可能な形状をし、排水の流入量を制御しうる開口度を有するリング状容器の上面もしくは側面上部に設けられた排水流入孔と固形物の溶解液の流出量を制御しうる開口度を有するリング状容器の底部もしくは側面下部又はこれに加えて側面に設けられた溶解液流出孔とを有し、固形物の溶解液をヌメリ発生壁面部に広がらせることができるものであればどのようなものでもよい。排水口の入口部又は上部に設置可能な形状としては、リング状の容器本体の周縁部に形成された鍔状係止部からなる形状や、リング状容器本体から水平方向に延設された複数の係止片からなる形状や、リング状容器本体から垂直方向に立設された複数の係止片からなる形状の他、流し台シンク排水口に設置される菊割れ状ゴム蓋等の蓋形状や、かかるゴム蓋の上部あるいは下部にゴム等の弾性体の弾性力を利用して嵌合・装着しうるリング状容器形状等を挙げることができる。また、固形物の溶解液をヌメリ発生壁面部に広がらせることができるように、リング状容器本体の側面下部に溶解液流出孔を配設する他、溶解液流出孔又はその近傍に分配管、分配樋、細棒状分配ピン等を配設することもできる。
【００２５】
固形物をリング状容器へ収納する場合、小粒のものであれば排水流入孔から投入してもよいが、リング状容器として、２分割が可能でかつ公知の係止部材により結合できる構造のものや、リング状容器の一部に固形物投入口と蓋を有するものも用いることができる。また、リング状容器を排水口の入口部又は上部に設置可能とするため、上記のように、リング状容器本体に係止部材が一体的に設けられたものを用いることができるが、排水口やゴミ取りカゴに栓や蓋が設置されている場合には、この栓や蓋の類似形状のリング状容器も好ましく使用できる。そしてまた、リング状容器が流し台シンクの排水口に設けられる蓋である場合はそのまま簡便に設置可能とすることができる。そして、これら容器の材質としては、プラスチック、ゴム、金属等各種公知のものが使用可能であるが、コスト、加工面等から各種のプラスチックが好ましく使用される。特に、流し台シンクの排水口に設けられる蓋からなる容器の場合、従来のゴム蓋に代えてプラスチック蓋、例えば着色プラスチック蓋とすることもできる。
【００２６】
排水流入孔は、リング状容器の上面もしくは側面上部に設けられ、排水の流入量を制御しうる開口度を有するように配設、すなわち排水量が多いとき、排水の一部が排水流入孔を通って固形物収納部に流入するが、大部分は排水流入孔を通らずにそのまま排水されるように配設されており、具体的には、リング状容器の上面もしくは側面上部に１個もしくは複数個の調整された開口度を有する排水流入孔が配設されたものや、排水の一部しか排水流入孔へ導かない調整された導水路の基部に排水流入孔が配設されたもの等を挙げることができる。そして、かかる排水流入孔を備えることにより、流入量が制御されるため、排水量が多いときであっても、固形物の溶解液がこの排水流入孔から逆流することを抑制することができる。
【００２７】
また、溶解液流出孔は、固形物の溶解液をヌメリ発生壁面部に広がらせることができるように、リング状容器の底部もしくは側面下部又はこれに加えて側面に設けられ、具体的には、排水口の口部やゴミ取りカゴの上縁にそって制御された開口度を有する溶解液流出孔が複数配設されたものや、菊割れ状ゴム蓋等の蓋の内側側面部にも溶解液流出孔を設けゴム蓋の表裏面に溶解液を拡散させるものや、先端が排水管の上部やゴミ取りカゴの上部に接触しうる複数の分配管（樋）の基端に制御された開口度を有する溶解液流出孔が配設されたものや、分配管（樋）の代わりに溶解液流出孔に近接した位置にゴミ取りカゴの上部に接触しうる細い棒状の分配ピンが配設されたもの等を挙げることができる。
【００２８】
そして、制御された開口度を有する溶解液流出孔としては、容器内に保持できる最大量の水が０．５〜５００秒、好ましくは２〜１００秒、さらに好ましくは５〜５０秒で流出する開口総面積を有するものを挙げることができる。リング状容器内の最大水量が０．５秒未満で流出する開口総面積を有する溶解液流出孔の場合は、使用排水が流れ終わらず少量の排水が流れている間に溶解液が流出し、排水により溶解液が希釈されるため、ヌメリ発生部に滞留する薬剤の濃度が低くなり、ヌメリの防除効果が弱くなるとともに、排水が流れている間に流出する溶解液は排水とともに流下するため、薬剤がむだに消費される。一方、流出時間が５００秒を超えるような開口総面積を有する溶解液流出孔の場合は、流出孔の面積が小さくなりすぎ、排水中のゴミや薬剤の破片で流出孔が詰まる等のトラブルが発生しやすくなる。しかし、２秒未満や１００秒を超える場合は、上記０．５秒未満や５００秒を超える場合における傾向が極めて軽微になる。
【００２９】
また、溶解液流出孔の開口総面積を、排水流入孔の開口総面積の０．９８〜０．０１、好ましくは、０．９５〜０．１とすると、排水量が多いときであっても排水が流れている間の固形物の溶解液の流出量が少なく、排水が流れ終わった後に有効濃度の溶解液を流出させることができるようになり、より効率的なヌメリ防除が可能となる。溶解液流出孔の開口総面積が排水流入孔の開口総面積の０．９８を超える場合、排水が流れる時間が短い場合に容器内に流入する排水の量が少なくなり、薬剤を充分に溶解させ、かつ、壁面に広がらせるのに充分な量の溶解液を確保することが困難となり、ヌメリ防除効果が不充分となる。一方、溶解液流出孔の開口総面積が排水流入孔の開口総面積の０．０１未満の場合、排水流入孔の開口部が広くなりすぎ、排水流入速度が速すぎて排水流入孔から溶解液が逆流し、有効成分が排水とともに無駄に流出したり、生ゴミ等が容器内に流入したりするトラブルを発生させる原因となる。
【００３０】
排水流入孔や溶解液流出孔の孔の形状については、排水を流入することができたり、溶解液を流出することができれば、円形、楕円形、長方形、星形、スリット形、リング形等どのようなものでもよいが、排水流入孔の孔の形は、生ゴミ等の流入の防止に有効なスリット状、多数の小孔、メッシュ状等とすることが好ましく、この場合、スリットの巾、小孔の面積はゴミの流入が少なく、かつ、表面張力により排水の流入が阻害されない範囲で調節される。また、排水を流入することができるものであれば、開口部を不織布等の通水性物質で覆うことも可能であり、この場合の排水流入孔の開口面積は同等の通水量の開口面積とみなすことができる。
【００３１】
また、溶解液流出孔の孔の形状は、流入生ゴミ等による詰まりの防止及び成形状の利点からリング状容器の底部から側面下部にかけて切り欠かれたスリット形状とすることが好ましい。このような形状とすることにより、底部に生ゴミ等がたまっても溶解液流出孔が完全に塞がることはなく、かつ、リング状容器内に常時水がたまって薬剤の溶解が著しく速くなることも防止できる。
【００３２】
本発明において、ヌメリ発生壁面部とは、台所流し台、風呂場、トイレの床の排水管の内壁面部や、流し台シンク排水口のゴム蓋の表裏面や、その下に設置されているゴミ取りカゴの側面及び底面部や、流し台シンクに置かれる生ゴミ入れの側面及び底面部等のヌメリが発生する平面、曲面等の面を有する広がりをいう。
【００３３】
次に、本発明のヌメリ取り器について、特に流し台シンク排水口に設けられているゴム蓋や、その下に設けられているゴミ取りカゴに適用するヌメリ取り器について具体的に説明するが、本発明の技術的範囲はこれらのものに何ら限定されるものではない。
【００３４】
図１に示される本発明のヌメリ取り器１は、排水口やゴミ取りカゴの形状に合わせたリング状の容器本体２と容器本体２を排水口やゴミ取りカゴの上部に係止するための４枚の係止片３とからなり、容器本体２の上面緩傾斜部に複数の方形排水流入孔４が、容器本体２の側面下部には複数の円形溶解液流出孔５がそれぞれ設けられている。図示はされていないが、容器本体２は上本体と下本体とに上下２分割できるように構成され、上本体と下本体とが形成する空間に微生物の発育抑制物質を含有する固形物（以下「薬剤」という）が収納できるように薬剤収納部が形成されている。
【００３５】
図２は、複数の小球状の薬剤６が収納されている上記ヌメリ取り器１を流し台シンク排水口７のゴム蓋８の下に設けられているゴミ取りカゴ９に適用した場合の縦断面図である。ゴム蓋８は、通常図３に示すような排水流出孔を有しており、排水量が多いとき、その大部分は中央部１０から流下しそのまま排水され、一部は周辺部に設けられた円形孔１１から流下し、流下したそのまた一部が排水流入孔４を通して薬剤収納部に達し薬剤６を溶解させ、排水が流れ終わった頃に溶解液が溶解液流出口５から流出し、ゴミ取りカゴ９の壁面を伝って流下し、下端に達すると底面に拡散し効率的にヌメリを防除できる。なお、ゴミ取りカゴ９の底面のヌメリ防除が不十分な場合は、容器本体２の内側面の下部に少数の溶解液流出孔を設けておくこともできる。
【００３６】
図４には、図１で示されるヌメリ取り器と同タイプの本発明のヌメリ取り器１が示されている。このヌメリ取り器１では、容器本体２を排水口やゴミ取りカゴの上部に係止するため鍔状係止部１２が設けられている。また複数の排水流入孔４の形状が円形であり、複数の溶解液流出孔５の形状が方形となっている。収納される薬剤の形状は、小球状であってもよく、またビーズ状のものを用いて収納部内を移動することがないようにすることもできる他、収納部の形状に合わせて１個のリング状としてもよい。
【００３７】
図５に示される本発明のヌメリ取り器１は、排水口やゴミ取りカゴの形状に合わせたリング状の一部に薬剤収納部１３が設けられた容器本体２と容器本体２を排水口やゴミ取りカゴの上部に係止するための４枚の係止片３とからなり、容器本体２の上面に複数のスリットからなる排水流入孔４が、容器本体２の側面下部には複数の円形溶解液流出孔５がそれぞれ設けられている。図示はされていないが、排水流入孔４のスリット部分が薬剤を収納するための蓋となるように構成され、ここから比較的大きい例えば円柱状の薬剤６が１〜３個挿入しうるようになっている。図６は、このヌメリ取り器１を流し台シンク排水口７のゴム蓋８の下に設けられているゴミ取りカゴ９に適用した場合の縦断面図である。
【００３８】
図７及び図８には、種々の口径の排水口やゴミ取りカゴに適用しうる本発明のヌメリ取り器１が示されている。このヌメリ取り器１は、排水口やゴミ取りカゴの口径より小さいリング状等の容器本体２と、容器本体２を排水口やゴミ取りカゴの上部に係止するとともに、排水の導水路ともなる例えば４枚の係止導水片１４と、容器本体２の側面下部に設けられた複数の溶解液流出孔５から延びた、先端が排水管の上部やゴミ取りカゴの上部に接触しうる複数の分配管１５（図７）や分配樋１６（図８）からなり、容器本体２の上面の円周上の溝の底部には複数の方形排水流入孔４が設けられている。
【００３９】
そして、上記係止導水片１４は、図７に示すようにその上面のみを凹状として排水を導水しやすくしてもよいし、図８に示すように平板状としてもよい。また、係止導水片１４は、種々の口径の排水口やゴミ取りカゴに適用できるようにあらかじめ長めに作っておき、それらの口径に合わせて切断して用いることが好ましい。そしてまた、上記分配管１５や分配樋１６は柔軟性の素材で作ることが望ましく、分配管１５の場合は、図７に示すように、先端がつぶれたラッパ状に形成しても円形チューブ状に形成してもよい。図９は、このヌメリ取り器１を流し台シンク排水口７のゴム蓋８の下に設けられているゴミ取りカゴ９に適用した場合の要部の縦断面図であり、図９に示すように分配管１５や分配樋１６はその先端が基部よりも低位置となった状態で用いられる。
【００４０】
さらに、図１０や図１１に示すように、分配管１５や分配樋１６の先端に突起１７を設けることもできる。かかる突起１７を設けることにより、このタイプのヌメリ取り器をゴミ取りカゴにセットするに際して、ヌメリ取り器の使用位置よりも少し下に容器本体を押し込み、上記係止導水片１４の弾性力等により使用位置まで引き上げると、突起１７がゴミ取りカゴの網目により係止され、より確実に分配管１５や分配樋１６の先端をその基部よりも低位置とすることができる。図１２は、この分配管１５や分配樋１６の先端に突起１７を有するヌメリ取り器１を流し台シンク排水口７のゴム蓋８の下に設けられているゴミ取りカゴ９に適用した場合の要部の縦断面図である。
【００４１】
図１３には、流し台シンク排水口７のゴム蓋１８の周縁部に薬剤収納部１３が設けられた本発明のヌメリ取り器１が示されている。このヌメリ取り器１は、ゴム蓋１８の周縁上面に複数の方形排水流入孔４が、ゴム蓋１８の周縁下部に複数の円形溶解液流出孔５がそれぞれ設けられている。図１４は、このゴム蓋１８の周縁部に設けられた薬剤収納部１３内に小粒の薬剤６が投入されているヌメリ取り器１を流し台シンク排水口７に適用した場合の縦断面図である。
【００４２】
図１５には、流し台シンク排水口７のゴム蓋１８の外周側面に薬剤収納部１３が設けられた本発明のヌメリ取り器１が示されている。このヌメリ取り器１は、ゴム蓋１８の上面外周縁端部に複数の方形排水流入孔４が、ゴム蓋１８の周縁下部及び内周側面部に複数の円形溶解液流出孔５が、それぞれ設けられている。図１６は、このゴム蓋１８の外周側面に設けられた薬剤収納部１３内に透水性のチューブに充填された複数の小粒の薬剤６が嵌入されているヌメリ取り器１を流し台シンク排水口７に適用した場合の縦断面図である。このゴム蓋１８からなるヌメリ取り器１は、特にゴム蓋１８の内周側面部に複数の円形溶解液流出孔５が設けられていることから、例えば菊割れ状のゴム蓋１８の表裏面に発生するヌメリを防止することができる。
【００４３】
図１７には、流し台シンク排水口７のゴム蓋８に、ゴム蓋８の下部に嵌合自在なリング状の薬剤収納ケース１９が装着されている本発明のヌメリ取り器１が示されている。このリング状の薬剤収納ケース１９は、その上面蓋部に複数の円形排水流入孔４が、ケース本体の下面に複数の円形溶解液流出孔５が、それぞれ設けられている。図１８は、そのケース本体内に小粒の薬剤６が収納されたリング状の薬剤収納ケース１９をゴム蓋８の下部に嵌合・装着したヌメリ取り器１を流し台シンク排水口７に適用した場合の縦断面図である。
【００４４】
図１９には、流し台シンク排水口７のゴム蓋８に、ゴム蓋８の下部内側に嵌合自在なリング状の薬剤収納ケース１９が装着されている本発明のヌメリ取り器１の他の態様が示されている。ゴム蓋８には、外周縁端部に複数の方形排水流入孔２３と、内周側面部に複数の溶解液流出孔２４と、外周縁下部に薬剤収納ケース１９を嵌合係止するための複数の係止部２５とが、それぞれ設けられている。また、このリング状の薬剤収納ケース１９には、上面蓋部からケース本体の外周縁端部にかけての複数のスリット形排水流入孔４（上記方形排水流入孔２３に対応）と、内周縁端上部に複数の溶解液流出・排気孔２６（上記溶解液流出孔２４に対応）と、下面に複数の円形溶解液流出孔５と、外周縁端下部には複数の係止嵌合部２７（上記係止部２５に対応）とが、それぞれ設けられている。薬剤収納ケース１９の内周縁端上部に複数の溶解液流出・排気孔２６を設けることにより、ゴム蓋８の表裏面にも薬剤の溶解液を接触させることができるばかりでなく、溶解液流出・排気孔２６は排気孔としても機能することから、排水をスムーズに流入させることができる。図２０は、そのケース本体内に小粒の薬剤６が収納されたリング状の薬剤収納ケース１９をゴム蓋８の下部内側に嵌合・装着したヌメリ取り器１を流し台シンク排水口７に適用した場合の概略縦断面図である。
【００４５】
図２１には、流し台シンク排水口７のゴム蓋８に、ゴム蓋８の上部内側に嵌合自在なリング状の薬剤収納ケース１９が装着されている本発明のヌメリ取り器１が示されている。このリング状の薬剤収納ケース１９は、その上面蓋部に複数の方形排水流入孔４、ケース本体の下面に複数の円形溶解液流出孔５が、それぞれ設けられている。ゴム蓋８の上部内側に薬剤収納ケース１９を装着することにより、ゴム蓋８の表裏面にも薬剤の溶解液を接触させることができる。図２２は、そのケース本体内に小粒の薬剤６が収納されたリング状の薬剤収納ケース１９をゴム蓋８の上部内側に嵌合・装着したヌメリ取り器１を流し台シンク排水口７に適用した場合の縦断面図である。
【００４６】
図２３には、種々の口径の排水口やゴミ取りカゴにも適用しうる本発明のヌメリ取り器１が示されている。このヌメリ取り器１は、排水口やゴミ取りカゴの口径と同じか、若しくは、より小さいリング状等の容器本体２と、容器本体２を排水口やゴミ取りカゴの上部に係止するとともに、排水の導水路ともなる４枚の係止導水片１４と、容器本体２の底面に配設された複数の円形溶解液流出孔５の近傍に一体的に設けられた、先端が排水管の上部やゴミ取りカゴの上部に接触しうる複数のプラスチック製等の細棒状分配ピン２０からなり、容器本体２の上面の円周上の溝の底部には複数の方形排水流入孔４が設けられている。溶解液流出孔５からの薬剤の溶解液は、その流出速度が遅いため、細棒状分配ピン２０を伝わって排水口やゴミ取りカゴの壁面に達することができる。なお、プラスチック等で製作されている細棒状分配ピン２０は柔軟性があるため、容器本体２が排水口やゴミ取りカゴの口径より小さい場合であってもそれらの壁面に接触することができる。また、図示はされていないが、容器本体２は上本体と下本体とに上下２分割できるように構成され、上本体と下本体とが作る空間に薬剤６が収納できるように薬剤収納部１３が形成されている。さらに、上記係止導水片１４は、その上面のみを凹状として排水を導水しやすくしておくこともできる。図２４は、このヌメリ取り器１を流し台シンク排水口７のゴム蓋８の下に設けられているゴミ取りカゴ９に適用した場合の要部の縦断面図であり、図２４に示すように細棒状分配ピン２０はその先端が基部よりも低位置となった状態で用いられる。
【００４７】
図２５には、その上部に容器本体２を設置することが困難な排水口やゴミ取りカゴに適用しうる本発明のヌメリ取り器１が示されている。このヌメリ取り器１は、リング状等の容器本体２と、容器本体２を排水口やゴミ取りカゴの入口部に係止する容器本体２に立設した３つの逆Ｌ字型係止片２１とからなり、容器本体２の上面緩傾斜部には複数の方形排水流入孔４が、容器本体２の側面下部には複数の円形溶解液流出孔５がそれぞれ設けられている。図２６は、このヌメリ取り器１を流し台シンク排水口７のゴム蓋８の下に設けられているゴミ取りカゴ９に適用した場合の要部の概略縦断面図である。このヌメリ取り器１は、排水口やゴミ取りカゴのカゴ上部に取手２２等の容器設置の邪魔になるものがあっても容易に設置が可能である。また、このヌメリ取り器１の容器本体２を排水口やゴミ取りカゴの口径よりも少し小さくして、溶解液流出孔５の近傍に上記プラスチック製等の細棒状分配ピン２０を設けることもできる。
【００４８】
【実施例】
次に、図４に示されるヌメリ取り器（排水流入孔Φ４ｍｍで２４個；溶解液流出孔２．４ｍｍ×１ｍｍで１２個；容器内に保持できる最大量の水２０ｍｌが２０秒で流出）を用いて、薬剤溶解液の分散性を試験した。試験薬剤としては、薬液分散性を把握するため医薬品試験薬剤で色素溶出の安定とされている以下の薬剤組成を混合し当所所有の手動式油圧打錠機を使用して試験薬剤を作成した。また、比較例としては、紐つるしタイプの市販品の塩素系ヌメリ取り剤の容器を用いた。
［薬剤組成］
８４．５％乳糖、１０％ヒドロキシプロピルセルロース、５％Ｃｏｌｏｒ  Ｉｎｄｅｘ．Ａｃｉｄ  Ｂｌｕｅ  ９、０．５％ステアリン酸マグネシウム
［打錠条件］
打錠圧：２５ｋｇ／ｃｍ2（ゲージ圧）
金型及び薬剤重量：Φ１１ｍｍ（０．５ｇ）、Φ３０ｍｍ（１２ｇ）
［使用薬剤］
実施例：Φ１１ｍｍの円盤型錠剤２６錠収納（薬剤重量：０．５ｇ×２６錠＝          １３ｇ）
比較例：Φ３０ｍｍの円盤型錠剤１錠収納（薬剤重量：１２ｇ）
【００４９】
試験条件として、大型排水口型ミカド流し台を設置し、排水部分の観察が容易となるように透明な塩ビ板を張り付け、本発明のヌメリ取り器及び比較例のジクロトップ用溶解器を設置し、ゴム蓋を被せ、流速約６Ｌ／ｍｉｎの水道水を流し、色素含有液のゴミ取りカゴにおける分散性を観察した。本発明のヌメリ取り器ではゴミ取りカゴ全面にわたり薬剤が分散したが、比較例のものでは、紐つるし型であるため、薬液は溶解器下部のみの一部分の接触であることが明らかとなった。
【００５０】
【発明の効果】
本発明の排水口用ヌメリ取り器は、簡単に排水口の上部に設置することができ、安全性や取り扱い性に優れ、ヌメリ防除剤を収納したリング状容器から、ヌメリ防除剤の溶解液を排水管壁面に広がらせることができ、排水の流入孔の開口面積と溶解液を流出する流出孔の開口面積が調節されているため、排水が流れている間に容器内に必要最少量の排水が取り込まれ、排水が流れ終わった後にも容器から薬剤を溶解した溶解液が流出する。従来のカゴ状容器では大部分の薬剤が排水とともに流出してしまいヌメリ発生部にとどまり、ヌメリ防除に効果を発揮しなかったのに対し、本発明の排水口用ヌメリ取り器では排水で希釈されない溶解液がヌメリ発生部に長時間接触するため、少量の薬剤で効果的にヌメリを防止でき、かつ、排水中に流出する薬剤量が微少であるため、塩素系薬剤を用いた場合でも環境への影響も少ない。しかもまた、適度な溶出速度で有効成分が溶出するので、台所流し台や風呂場の排水口等のように雑菌やカビ等の代謝物によりヌメリが発生する箇所に設け、ヌメリを除去するとともに、ヌメリの発生を長期間にわたって防止することができる。
【図面の簡単な説明】
【図１】板状係止片を有する本発明のヌメリ取り器の概略斜視図である。
【図２】図１のヌメリ取り器を流し台シンク排水口に適用した場合の概略縦断面図である。
【図３】従来のゴム蓋の概略斜視図である。
【図４】鍔状係止部を有する本発明のヌメリ取り器の概略斜視図である。
【図５】リング状の一部に薬剤収納部が設けられた本発明のヌメリ取り器の概略斜視図である。
【図６】図５のヌメリ取り器を流し台シンク排水口に適用した場合の概略縦断面図である。
【図７】分配管を有する本発明のヌメリ取り器の概略斜視図である。
【図８】分配樋を有する本発明のヌメリ取り器の概略斜視図である。
【図９】図７又は図８のヌメリ取り器を流し台シンク排水口に適用した場合の概略要部縦断面図である。
【図１０】突起付分配管を有する本発明のヌメリ取り器の概略斜視図である。
【図１１】突起付分配樋を有する本発明のヌメリ取り器の概略斜視図である。
【図１２】図１０又は図１１のヌメリ取り器を流し台シンク排水口に適用した場合の概略要部縦断面図である。
【図１３】ゴム蓋の周縁部に薬剤収納部が設けられた本発明のヌメリ取り器の概略斜視図である。
【図１４】図１３のヌメリ取り器を流し台シンク排水口に適用した場合の概略縦断面図である。
【図１５】ゴム蓋の外周側面に薬剤収納部が設けられた本発明のヌメリ取り器の概略斜視図である。
【図１６】図１５のヌメリ取り器を流し台シンク排水口に適用した場合の概略縦断面図である。
【図１７】ゴム蓋の下部に嵌合自在なリング状の薬剤収納ケースを装着した本発明のヌメリ取り器の概略斜視図である。
【図１８】図１７のヌメリ取り器を流し台シンク排水口に適用した場合の概略縦断面図である。
【図１９】ゴム蓋の下部に嵌合自在なリング状の薬剤収納ケースを装着した他の態様の本発明のヌメリ取り器の概略斜視図である。
【図２０】図１９のヌメリ取り器を流し台シンク排水口に適用した場合の概略縦断面図である。
【図２１】ゴム蓋の上部に嵌合自在なリング状の薬剤収納ケースを装着した本発明のヌメリ取り器の概略斜視図である。
【図２２】図２１のヌメリ取り器を流し台シンク排水口に適用した場合の縦断面図である。
【図２３】棒状分配ピンを有する本発明のヌメリ取り器の概略斜視図である。
【図２４】図２３のヌメリ取り器を流し台シンク排水口に適用した場合の概略要部縦断面図である。
【図２５】逆Ｌ字型係止片を有する本発明のヌメリ取り器の概略斜視図である。
【図２６】図２５のヌメリ取り器を流し台シンク排水口に適用した場合の概略要部縦断面図である。
【符号の説明】
１  ヌメリ取り器              ２  容器本体
３  係止片                    ４  排水流入孔
５  溶解液流出孔              ６  薬剤
７  流し台シンク排水口        ８  ゴム蓋
９  ゴミ取りカゴ              １０  中央部
１１  円形孔                  １２  鍔状係止部
１３  薬剤収納部              １４  係止導水片
１５  分配管                  １６  分配樋
１７  突起                    １８  ゴム蓋（薬剤収納型）
１９  薬剤収納ケース          ２０  棒状分配ピン
２１  逆Ｌ字型係止片          ２２  ゴム取りカゴの取手
２３  ゴム蓋排水流入孔        ２４  ゴム蓋溶解液流出孔
２５  ゴム蓋係止部            ２６  溶解液流出・排気孔
２７  係止嵌合部
【図１】
0003578655.tif 000002
【図２】
0003578655.tif 000003
【図３】
0003578655.tif 000004
【図４】
0003578655.tif 000005
【図５】
0003578655.tif 000006
【図６】
0003578655.tif 000007
【図７】
0003578655.tif 000008
【図８】
0003578655.tif 000009
【図９】
0003578655.tif 000010
【図１０】
0003578655.tif 000011
【図１１】
0003578655.tif 000012
【図１２】
0003578655.tif 000013
【図１３】
0003578655.tif 000014
【図１４】
0003578655.tif 000015
【図１５】
0003578655.tif 000016
【図１６】
0003578655.tif 000017
【図１７】
0003578655.tif 000018
【図１８】
0003578655.tif 000019
【図１９】
0003578655.tif 000020
【図２０】
0003578655.tif 000021
【図２１】
0003578655.tif 000022
【図２２】
0003578655.tif 000023
【図２３】
0003578655.tif 000024
【図２４】
0003578655.tif 000025
【図２５】
0003578655.tif 000026
【図２６】
0003578655.tif 000027